(57)【要約】【課題】実際の通気性が高いだけでなく、視覚的に感取される通気性感覚も良好であり、しかも打ち抜き残滓が残ることもなく、商品価値が高いブラジャー材と、このブラジャー材を有するブラジャーとを提供する。【解決手段】ブラジャー１は、軟質ポリウレタンフォームよりなるカップ２、バック３及びストラップ４を備えている。カップ２に多数のスリット５が設けられている。各スリット５は上下方向に延在している。ブラジャー１が身体に装着されるとスリット５が開き、通気性が向上すると共に、伸度を調節することができる。【選択図】図２
2009179891.tif 000002
【特許請求の範囲】
【請求項１】
軟質合成樹脂フォームよりなるブラジャー材において、
多数のスリットを設けたことを特徴とするブラジャー材。
【請求項２】
請求項１において、該スリットは、該ブラジャー材の引き伸し方向と交差方向に延在した一文字形であることを特徴とするブラジャー材。
【請求項３】
請求項１又は２において、前記スリットは、一文字形の刃で打ち抜くことにより形成されたものであることを特徴とするブラジャー材。
【請求項４】
請求項１ないし３のいずれか１項において、前記軟質合成樹脂フォームはポリウレタンフォームであることを特徴とするブラジャー材。
【請求項５】
請求項１ないし３のいずれか１項において、前記軟質合成樹脂フォームはラテックスの発泡体であることを特徴とするブラジャー材。
【請求項６】
請求項１ないし５のいずれか１項のブラジャー材を有するブラジャー。
【発明の詳細な説明】
【技術分野】
【０００１】
本発明は、通気用のスリットを有するブラジャー材と、このブラジャー材を備えたブラジャーとに関する。
【背景技術】
【０００２】
ウレタンフォームなどの軟質合成樹脂フォーム製のブラジャーパッドなどのブラジャー材に通気性を具備させる場合、軟質合成樹脂フォーム自体を通気性のフォームとするか、ブラジャー材に多数の小孔を穿孔することが行われている。例えば、特開平８−３３７９０３の第０００６段落には、多数の小孔を設けたウレタンフォームよりなるブラジャーパッドが記載されている。また、同号公報の第１頁左欄には通気性ウレタンフォームよりなるブラジャーパッドが記載されている。
【０００３】
特開２００４−２５６９５６には、多数の小孔を貫通させたブラジャーパッド用芯材（ウレタンフォーム製）が記載されている。
【特許文献１】特開平８−３３７９０３
【特許文献２】特開２００４−２５６９５６
【発明の開示】
【発明が解決しようとする課題】
【０００４】
ウレタンフォーム自体に除膜処理等によって通気性を与えたブラジャー材の場合、通気性は十分に高いとしても、視覚的には通気性が感取されず、消費者が受ける通気性の印象が弱い。一方、ウレタンフォームに多数の小孔を空ける場合、打ち抜き刃を用いて穿孔することになるが、打ち抜き残滓（いわゆる「抜きカス」）が残留して商品価値を損ねるおそれがある。
【０００５】
本発明は、実際の通気性が高いだけでなく、視覚的に感取される通気性感覚も良好であり、しかも打ち抜き残滓が残ることもなく、商品価値が高いブラジャー材と、このブラジャー材を有するブラジャーとを提供することを目的とする。
【課題を解決するための手段】
【０００６】
請求項１のブラジャー材は、軟質合成樹脂フォームよりなるブラジャー材において、多数のスリットを設けたことを特徴とするものである。
【０００７】
請求項２のブラジャー材は、請求項１において、該スリットは、該ブラジャー材の引き伸し方向と交差方向に延在した一文字形であることを特徴とするものである。
【０００８】
請求項３のブラジャー材は、請求項１又は２において、前記スリットは、一文字形の刃で打ち抜くことにより形成されたものであることを特徴とするものである。
【０００９】
請求項４のブラジャー材は、請求項１ないし３のいずれか１項において、前記軟質合成樹脂フォームはポリウレタンフォームであることを特徴とするものである。
【００１０】
請求項５のブラジャー材は、請求項１ないし３のいずれか１項において、前記軟質合成樹脂フォームはラテックスの発泡体であることを特徴とするものである。
【００１１】
請求項６のブラジャーは、請求項１ないし５のいずれか１項のブラジャー材を有するものである。
【発明の効果】
【００１２】
本発明のブラジャー材及びこのブラジャー材を有するブラジャーにおいては、身体装着状態において引っ張られることによりスリットが小孔状となり、通気性が付与される。
【００１３】
このスリットは一文字形であることが好ましい。このスリットは、一文字形の刃で打ち抜いて形成することができ、打ち抜き残滓が発生しない。
【００１４】
なお、スリットを設けることにより、ブラジャー材やブラジャーの伸縮性を調節することも可能である。
【発明を実施するための最良の形態】
【００１５】
以下、図面を参照して実施の形態について説明する。
【００１６】
第１図はブラジャーの斜視図、第２図は実施の形態に係るブラジャーのカップ付近の斜視図、第３図及び第４図は実施の形態に係るブラジャー材の伸長挙動の説明図である。
【００１７】
第１図の通り、ブラジャー１は、カップ２、バック３及びストラップ４を備えている。本発明では、このカップ２、バック３及びストラップ４がいずれもウレタンフォームなどの軟質合成樹脂フォームよりなる場合、これらカップ２、バック３及びストラップ４のいずれか１つ又は２以上のブラジャー材に多数のスリットを設ける。スリットは、ブラジャーを身体に装着したときに各ブラジャー材における伸び方向と交差方向好ましくは伸びと略直交方向に延在するように設けられる。
【００１８】
第２図は、カップ２にスリット５を設けたものであり、（ａ）図は身体への装着前の状態を示し、（ｂ）図は身体への装着後の状態を示している。
【００１９】
カップ２は、身体に装着されたときに身体の左右方向に引き伸ばされるので、各スリット５は、この左右方向に対し略直交方向すなわち略上下方向に延在している。
【００２０】
このカップ２に設けられる各スリット５の長さは０．５〜１５ｍｍ特に１〜５ｍｍ程度が好ましい。
【００２１】
スリット５は、１個のカップ２につき１０〜１００個特に３０〜５０個程度設けられるのが好ましい。この実施の形態では、スリット５は千鳥状に配列されている。
【００２２】
上下方向に隣り合うスリット５同士は、０．５〜１５．０ｍｍ特に１．０〜５．０ｍｍ程度離れていることが好ましい。左右方向に隣り合うスリット５同士は、１．０〜１０．０ｍｍ特に２．０〜５．０ｍｍ程度離れていることが好ましい。
【００２３】
第２図（ｂ）の通り、ブラジャー１が身体に装着されると、スリット５が目を開く如くして魚眼形ないし楕円形の開口となる。このように開口が生じることにより、カップ２の通気性が向上する。また視覚的にも、通気性が極めて高い様に感取される。
【００２４】
なお、スリット５を設けたことにより、カップ２が左右方向に伸び易いものとなる。
【００２５】
このスリット５は、ウレタンフォーム等の軟質合成樹脂フォーム製のカップに対し一文字形の刃を厚み方向に貫通させるように打ち抜くことにより形成される。このように、一文字形の刃でカップを打ち抜くため、打ち抜き残滓が発生せず、残滓によって商品価値が損なわれることもない。
【００２６】
カップ２を軟質ポリウレタンフォームにて構成する場合、厚さ（平均）１．０〜１５ｍｍ程度、密度１５〜１０００ｋｇ／ｍ３程度、より好ましくは１５〜１００ｋｇ／ｍ３程度、２５％硬度５．０〜２０ｋｇｆ／２００ｍφであることが好ましいが、これに限定されない。
【００２７】
バック３にスリットを設ける場合も、バック３の伸び方向は左右方向となるので、スリットは上下方向に延在するように設けられる。この場合、スリットの上下方向の長さは０．５〜１０ｍｍ特に１．０〜５．０ｍｍ程度が好ましい。バックを軟質ポリウレタンフォームにて構成する場合、厚さ（平均）０．５〜５．０ｍｍ程度、密度１５〜１０００ｋｇ／ｍ３程度、より好ましくは１５〜１００ｋｇ／ｍ３程度、２５％硬度５．０〜２０ｋｇｆ／２００ｍφであることが好ましいが、これに限定されない。
【００２８】
ストラップ４にスリットを設ける場合、伸びは上下方向となるので、スリットは左右方向に延在するように設けられる。この場合、スリットの左右方向の長さは０．５〜５．０ｍｍ特に１．０〜３．０ｍｍ程度が好ましい。ストラップを軟質ポリウレタンフォームにて構成する場合、厚さ（平均）０．５〜５．０ｍｍ程度、密度１５〜１００ｋｇ／ｍ３程度、２５％硬度５．０〜２０ｋｇｆ／２００ｍφであることが好ましいが、これに限定されない。
【００２９】
本発明では、スリットは、ブラジャー材の全体に設けられてもよく、一部にのみ設けられてもよい。
【００３０】
第３図（ａ），（ｂ）は、ブラジャー材６の全体にスリット７を上下方向に延在するように設けた場合において、このブラジャー材６を全体的に左右方向に引き伸したときのブラジャー材の挙動を示している。第３図（ｂ）の通り、ブラジャー材６は全体として均等に左右方向に伸長する。
【００３１】
第４図（ａ），（ｂ）は、ブラジャー材８の上半側にのみスリット９を設けた場合の引き伸し挙動を示している。各スリット９は上下方向に延在している。ブラジャー材８に左右方向に均等に張力を加えると、スリット９を設けた上半側は伸びが大きいものとなるが、スリット９が存在しない下半側は伸びが小さいものとなり、下端側ほど伸びが小さくなる。
【００３２】
一般的に、ブラジャーは、使用時（身体装着時）のフィッティング性が重視されることから、従来、材料の伸びを調節するために伸びの異なる生地等の材料を接着、複合するようにしている。本発明のようにブラジャー材にスリットを設けると、第３，４図の対比から明らかな通り、伸度を調節することができるため、伸びの異なる生地等を接着、複合しなくても、伸度調節が可能となる（ただし、生地等を接着、複合することを排除するものではない。）。従って、ポリウレタンフォームなどの単一素材のみにてブラジャー材を構成した場合、ブラジャー材の軽量化や製造コストダウンに極めて有効である。
【００３３】
なお、本発明では、一部のブラジャー材をスリット付きフォームにて構成し、その他をスリットなしのフォームや、フォーム以外の素材で構成してもよい。
【００３４】
本発明では、ポリウレタンフォームは熱プレスして使用しても良い。プレス倍率は好ましくは１．２倍〜５０倍より好ましくは１．５〜２０倍程度である。
【００３５】
本発明では、材料はポリウレタンフォーム以外であってもよく、例えばラテックス発泡体であってもよい。
【００３６】
本発明では、ブラジャー材はフィットネスウェアーや水着カップとして用いても良い。
【図面の簡単な説明】
【００３７】
【図１】ブラジャーの斜視図である。
【図２】実施の形態に係るブラジャーのカップ付近の斜視図である。
【図３】実施の形態に係るブラジャー材の伸長挙動の説明図である。
【図４】実施の形態に係るブラジャー材の伸長挙動の説明図である。
【符号の説明】
【００３８】
１  ブラジャー
２  カップ
３  バック
４  ストラップ
５，７，９  スリット
６，８  ブラジャー材
【図１】
2009179891.tif 000003
【図２】
2009179891.tif 000004
【図３】
2009179891.tif 000005
【図４】
2009179891.tif 000006